(57)【要約】【課題】人の介在がほとんど必要なしで長期の安定した連続運転が可能である室内湿度制御装置を提供する。【解決手段】室内の天井に沿って延びるように配置された室内配管と、室内配管に水を供給できるように構成された水供給装置と、室内配管に間隔を置いて設けられかつ室内配管中の水をミストに変換して室内に放出することができるように構成された複数のノズルと、室内に配置されかつ室内の湿度を測定するように構成された湿度測定装置とを備えた室内湿度制御装置であって、湿度測定装置で測定された湿度の値に応じてノズルからのミストの放出時間を制御できるように構成された制御装置を設けたことを特徴とする。【選択図】図１
2020176783.tif 000002
【特許請求の範囲】
【請求項１】
室内の天井に沿って延びるように配置された室内配管と、室内配管に水を供給できるように構成された水供給装置と、室内配管に間隔を置いて設けられかつ室内配管中の水をミストに変換して室内に放出することができるように構成された複数のノズルと、室内に配置されかつ室内の湿度を測定するように構成された湿度測定装置とを備えた室内湿度制御装置であって、湿度測定装置で測定された湿度の値に応じてノズルからのミストの放出時間を制御できるように構成された制御装置を設けたことを特徴とする室内湿度制御装置。
【請求項２】
湿度測定装置が、間隔を置いて複数設けられていることを特徴とする請求項１に記載の室内湿度制御装置。
【請求項３】
制御装置が、特定の二つの湿度測定装置間の測定湿度値の差が特定の値以上になったときに測定湿度値が低い方の湿度測定装置に近いノズルからミストを放出し、測定湿度値が高い方の湿度測定装置に近いノズルからミストを放出しないように制御することができることを特徴とする請求項２に記載の室内湿度制御装置。
【請求項４】
制御装置が、ノズルからのミストの放出時間の制御に使用する湿度測定装置を指定できることを特徴とする請求項２又は３に記載の室内湿度制御装置。
【請求項５】
制御装置が、各湿度測定装置の測定湿度値に重みづけを行ない、その重みづけに従って算出された湿度値に基づいてノズルからのミストの放出時間の制御を行なうことができることを特徴とする請求項２〜４のいずれかに記載の室内湿度制御装置。
【請求項６】
制御装置が、室内配管に供給する水道水の温度を室内の気温より高くなるように制御することができることを特徴とする請求項２〜５のいずれかに記載の室内湿度制御装置。
【請求項７】
室内に人感センサーが設けられ、人感センサーが人を感知すると、制御装置がノズルからのミストの放出を停止するか、又はミストの放出時間を短かくするように制御することができることを特徴とする請求項２〜６のいずれかに記載の室内湿度制御装置。
【請求項８】
ノズルから放出されるミストの平均粒子径が１０〜３０μｍであることを特徴とする請求項２〜７のいずれかに記載の室内湿度制御装置。
【請求項９】
複数のノズルを有する室内配管が独立して複数設けられていることを特徴とする請求項２〜８のいずれかに記載の室内湿度制御装置。
【請求項１０】
室内配管に供給される水が、水道水であることを特徴とする請求項２〜９のいずれかに記載の室内湿度制御装置。
【発明の詳細な説明】
【技術分野】
【０００１】
本発明は、建物の室内の湿度をミストの放出時間の間欠操作で制御することができる、簡易で人手のかからない室内湿度制御装置に関する。
【背景技術】
【０００２】
従来、建物の室内の湿度制御は、大規模な空調設備を使用しない場合、室内の床に置かれるタンク式加湿器で行なわれるのが一般的である（例えば、特許文献１参照）。
【０００３】
しかしながら、かかるタンク式加湿器では、加湿用の水の補給、加湿器の操作と湿度確認等を頻繁に人手を使って行なわなければならない問題があった。また、大きい室内を隅々まで適切に加湿調整しながら希望の湿度に維持することは非常に難しかった。さらに、加湿用の水が連続して使用されない場合には、放出される水分のミストに臭気が発生し、衛生面で問題があった。
【先行技術文献】
【特許文献】
【０００４】
【特許文献１】特開２０１５−１３７８２８号公報
【発明の概要】
【発明が解決しようとする課題】
【０００５】
本発明は、上記の従来技術の問題を解消するために創案されたものであり、その目的は、人の介在がほとんど必要なしで長期の安定した連続運転が可能である、オフィス空間、物品保管倉庫などの建物室内の湿度制御に適した室内湿度制御装置を提供することにある。
【課題を解決するための手段】
【０００６】
本発明者は、かかる目的を達成するために鋭意検討した結果、室内の天井に沿って室内配管を配置し、その室内配管に水を供給し、室内配管からノズルで室内にミストを放出すること、そしてノズルからのミストの放出時間を湿度測定装置で測定された湿度の値に応じて調整して制御することによって、タンクの水補充などの人の介在がほとんどなしで安定した長期の湿度制御を広い室内で簡単に行なうことができることを見出し、本発明の完成に至った。
【０００７】
即ち、本発明は、以下の（１）〜（１０）の構成を有するものである。
（１）室内の天井に沿って延びるように配置された室内配管と、室内配管に水を供給できるように構成された水供給装置と、室内配管に間隔を置いて設けられかつ室内配管中の水をミストに変換して室内に放出することができるように構成された複数のノズルと、室内に配置されかつ室内の湿度を測定するように構成された湿度測定装置とを備えた室内湿度制御装置であって、湿度測定装置で測定された湿度の値に応じてノズルからのミストの放出時間を制御できるように構成された制御装置を設けたことを特徴とする室内湿度制御装置。
（２）湿度測定装置が、間隔を置いて複数設けられていることを特徴とする（１）に記載の室内湿度制御装置。
（３）制御装置が、特定の二つの湿度測定装置間の測定湿度値の差が特定の値以上になったときに測定湿度値が低い方の湿度測定装置に近いノズルからミストを放出し、測定湿度値が高い方の湿度測定装置に近いノズルからミストを放出しないように制御することができることを特徴とする（２）に記載の室内湿度制御装置。
（４）制御装置が、ノズルからのミストの放出時間の制御に使用する湿度測定装置を指定できることを特徴とする（２）又は（３）に記載の室内湿度制御装置。
（５）制御装置が、各湿度測定装置の測定湿度値に重みづけを行ない、その重みづけに従って算出された湿度値に基づいてノズルからのミストの放出時間の制御を行なうことができることを特徴とする（２）〜（４）のいずれかに記載の室内湿度制御装置。
（６）制御装置が、室内配管に供給する水道水の温度を室内の気温より高くなるように制御することができることを特徴とする（２）〜（５）のいずれかに記載の室内湿度制御装置。
（７）室内に人感センサーが設けられ、人感センサーが人を感知すると、制御装置がノズルからのミストの放出を停止するか、又はミストの放出時間を短かくするように制御することができることを特徴とする（２）〜（６）のいずれかに記載の室内湿度制御装置。
（８）ノズルから放出されるミストの平均粒子径が１０〜３０μｍであることを特徴とする（２）〜（７）のいずれかに記載の室内湿度制御装置。
（９）複数のノズルを有する室内配管が独立して複数設けられていることを特徴とする（２）〜（８）のいずれかに記載の室内湿度制御装置。
（１０）室内配管に供給される水が、水道水であることを特徴とする（２）〜（９）のいずれかに記載の室内湿度制御装置。
【発明の効果】
【０００８】
本発明の室内湿度制御装置は、室内の天井から広範囲にミストを放出することができるので、床に達するまでに蒸発するミストにより広い室内空間でも適切に湿度調整することができる。特に、室内の天井から放出されるミストにより、浮遊するウイルスの不活化、花粉やホコリなどのアレルギー物質の落下、静電気発生の軽減、細霧冷房効果などが効率良く達成される。また、室内の湿度測定装置で測定された湿度値に応じてノズルからのミストの放出時間を制御することができるので、広い室内でも簡単かつ迅速に希望の湿度調整を行なうことができる。
【図面の簡単な説明】
【０００９】
【図１】図１は、本発明の室内湿度制御装置の一例の概略説明図である。
【図２】図２は、本発明の室内湿度制御装置の室内配管の設置の一例を示し、（ａ）は、全体概要写真、（ｂ）は、部分拡大写真である。
【図３】図３は、本発明の室内湿度制御装置の湿度測定装置の設置の一例を示す。
【図４】図４は、本発明の室内湿度制御装置の別の例の概略説明図である。
【発明を実施するための形態】
【００１０】
本発明の室内湿度制御装置の実施形態の一例について図面を適宜参照して説明するが、本発明は、これらに限定されるものではない。
【００１１】
本発明の室内湿度制御装置は、建物の室内、例えば人が出入りする室内空間、特にオフィス空間や物品保管倉庫において、湿度測定装置の湿度測定データに基づいて、天井のノズルからのミストの放出時間を間欠操作で制御しようとするものであり、広範囲の室内空間の細かい湿度制御を容易かつ迅速に行なうことができるものである。
【００１２】
図１は、本発明の室内湿度制御装置の一例を概略的に示したものである。図１に示されるように、本発明の室内湿度制御装置１は、室内配管２と、室内配管２に水道水（通常の水でも可能）を供給できるように構成された水供給装置３と、室内配管に間隔を置いて設けられかつ室内配管２中の水道水をミストに変換して放出する複数のノズル４と、室内の湿度を測定する湿度測定装置５と、ノズル４からのミストの放出時間又は放出量などを制御する制御装置６とを含むものである。
【００１３】
室内配管２は、図２（a）,（b）に示すように、ミストを放出したい場所を考慮して、室内の天井に沿って延びるように配置される。室内配管２は、一般にポリエチレン、塩ビなどのプラスチック樹脂、ステンレス鋼、銅、ゴムなどの従来公知の材料で作られ、その内径は２〜１０ｍｍ程度であることが好ましい。室内配管２の天井への設置は、図２に示すように天井と室内配管２を固定できる取り付け具を用いて天井から吊り下げて固定することができ、あるいは、室内配管２の一部又は全部を天井に埋め込んでノズル４のミスト放出口のみを天井から露出することもできる。
【００１４】
室内配管２には衛生面から塩素殺菌された水道水が流されることが好ましいが、この水道水は、水供給装置３によって供給されることができる。水供給装置３としては、従来公知のものを適宜採用することができるが、例えば水道水が通る経路として水道水の蛇口から室内配管２までに高圧ホースを設け、その間に高圧ポンプを介在させ、高圧ポンプを作動することにより水道水を室内配管２に送るように構成された装置を挙げることができる。
【００１５】
室内配管２には、図１に示すように、複数のノズル４が間隔を置いて、好ましくは一定間隔で設けられている。ノズル４の設置間隔は、３０〜２００ｃｍで設定されることが好ましい。ノズル４の数は、室内配管２の長さに依存するが、１本の室内配管あたり２〜５０個、さらには３〜２０個、さらには５〜１０個であることが好ましい。ノズル４は、高圧ポンプの作動により室内配管２の中に送られた水道水をミストに変換して略水平方向に室内に放出することができるように室内配管２に取り付けて構成される。ノズル４から放出されるミストの平均粒子径は、１０〜３０μｍであることが好ましい。このミストの平均粒子径は、スプリンクラーなどの消火設備から放出されるミストのものより小さいものである。ミストの平均粒子径が１０μｍ未満では、ノズルが詰まりやすくなり、３０μｍを超えると、ミストが蒸発する前に床に落下しやすくなる。ノズル４としては、従来公知の一流体ノズルを採用することができ、液体（水道水）に高い圧力をかけて粉砕し、微細霧にしてミストを放出する機能を有するものが好ましい。さらに、ノズル４は、ミストの放出口の開閉を制御できるものが好ましい。
【００１６】
湿度測定装置５は、図１に示すように、室内の湿度を一定にしたい場所又はその近傍に、例えば柱の壁などに配置され、その配置場所の室内の湿度を測定するように構成されている。湿度測定装置は、湿度の測定だけでなく温度などの他の環境データの測定も行なうことが好ましい。湿度測定装置５は、間隔を置いて複数設けられることが好ましく、室内の測定データの正確性の点では室内配管２の各ノズル４の下方に一つずつ設けることが好ましい。湿度測定装置５としては、図３に示すような従来公知の湿度測定機能を有するものであればいずれも採用することができるが、太陽電池によって駆動され、湿度測定装置の固有ＩＤと測定湿度値を制御装置６に無線送信できるものが好ましい。湿度測定は、連続的である必要はなく、間欠的でもよく、例えば１分間〜２時間、さらには５分間〜１時間のような一定周期で行なえば十分である。
【００１７】
制御装置６は、湿度測定装置５で測定された湿度の値に応じてノズル４からのミストの放出時間、さらに必要により放出量を制御することができるように構成される。例えば、制御装置６は、測定された湿度値が特定の値（希望値）より低い場合、室内の湿度値を上昇させるために、一定時間、ノズル４からのミストの放出を継続し、その後、測定された湿度値が前述の特定の値に達すると、ノズル４からのミストの放出を中止するように制御する。あるいは、測定された湿度値が特定の値（希望値）より低い場合、それらの間の値の差に応じてノズル４からのミストの放出時間、さらに必要により放出量を設定することができる。具体的には、それらの間の差が大きい場合はミストの放出時間を長くし、さらに必要により放出量を多くし、小さい場合はミストの放出時間を短かくし、さらに必要により放出量を少なくなるように設定することができる。これらの場合、測定された湿度値は、連続した測定値ではなく、間欠的な測定値で行なうことが好ましい。ノズル４からのミストの放出による湿度上昇の反映にはある程度時間がかかるからである。制御装置６としては、この分野の従来公知のものを適宜採用することができるが、機械の制御に使用されるプログラマブルロジックコントローラ（ＰＬＣ）を使用することが好ましい。また、制御装置６は、湿度測定装置５などとの無線又は有線の通信機能を備えたものが好ましい。なお、制御装置６中の測定湿度、ミストの放出制御などの記憶データは、Ｗｉｆｉを利用して通信できるタブレットで確認できることが好ましく、また、この記憶データは、クラウドサービスを利用して履歴データとしてＰＣにダウンロードしたり、スマートフォンにメール送信することができることが好ましい。
【００１８】
制御装置６は、湿度測定装置５が間隔を置いて複数設けられている場合、特定の二つの湿度測定装置５間の測定湿度値の差が特定の値以上（例えば、２％以上、さらには３％以上）になったときに湿度測定値が低い方の湿度測定装置５に近いノズル４からミストを放出し（又はミストの放出時間を長くし）、湿度測定値が高い方の湿度測定装置５に近いノズル４からミストを放出しない（又はミストの放出時間を短かくする）ように制御することができる。例えば、図４で説明すると、左下側の湿度測定装置５´の湿度測定値が低く、右上側の湿度測定装置５´´の湿度測定値が高い場合、左下側の湿度測定装置５´に近いノズル４からミストを放出し、右上側の湿度測定装置５´´に近いノズル４からミストを放出しないように制御することができる。これにより、室内の場所ごとに発生する微妙に異なる湿度を容易かつ適切に均一にすることができる。
【００１９】
制御装置６は、湿度測定装置５が間隔を置いて複数設けられている場合、それらの間でノズル４からのミストの放出時間の制御に使用する湿度値を測定する湿度測定装置５を指定することができる。これにより、指定した湿度測定装置５の近くの湿度制御を希望通りに適切に行なうことができる。
【００２０】
制御装置６は、湿度測定装置５が間隔を置いて複数設けられている場合、各湿度測定装置５の測定湿度値に重みづけを行ない、その重みづけに従って算出された湿度値に基づいてノズル４からのミストの放出時間の制御を行なうことができる。これにより重みづけを高くした湿度測定装置５が存在する場所の付近を重視して湿度制御を適切に行なうことができる。
【００２１】
制御装置６は、室内配管に供給する水道水の温度を室内の気温より高くなるように制御することができる。これによりノズル４からミストを放出しているときにミストの気化熱により室内の気温が下がることを防止することができる。例えば、制御装置６は、サーモスタットを設けた水供給装置３において供給する水道水を暖めるように指示することができる。
【００２２】
本発明の室内湿度制御装置は、室内（例えば室内の入口）に人感センサー（図示せず）を設けることができ、人感センサーが人の存在を感知すると、制御装置６は、ノズルからのミストの放出を停止するか、又はミストの放出時間を短かくするように制御することができる。これにより、室内に人がいるときにミストが人にかかったり、ミストを人に意識させることを防止することができる。
【００２３】
制御装置６は、湿度測定装置５で測定された湿度の値に関わらず、ノズルからのミストの放出を一定時間の間隔で行なうように制御することができる。例えば、ノズルからのミストの放出を長期停止した後にミストを放出すると、塩素殺菌した水道水を原料としていても異臭が発生するので、異臭が発生しない最低限の一定時間間隔（例えば４時間以内）及び量でミストを放出することができる。また、逆に、ノズルからのミストの放出のＯＮ／ＯＦＦ制御の周期が短かいと、制御リレーの寿命が短かくなり故障しやすいので、夜間などの人が長時間いないときにミストの放出のＯＮ／ＯＦＦの周期を長く設定することができる（例えば、１時間以上）。さらに、本発明の室内湿度制御装置が設置される室内の容積と気温より希望の湿度を達成するために必要なミスト量を算出し、１日でのミストの放出時間（ＯＮ／ＯＦＦの時間）、さらに必要により放出量を予め決定することができる。
【００２４】
本発明の室内湿度制御装置は、ノズルの下方の室内の床に水滴センサー（図示せず）を設けることができ、水滴センサーが水滴を感知すると、制御装置６は、ノズルからのミストの放出を停止するように制御することができる。これにより、ノズルからのミスト形成不良などの異常が生じた場合に水滴が床に落ちて水浸しになることを防止することができる。
【００２５】
本発明の室内湿度制御装置は、図４に示すように、複数のノズル４を有する室内配管２を独立して複数設けることができる。独立した室内配管の数は、室内の大きさにも依存するが、一般に２〜１００個、好ましくは３〜２０個、さらに好ましくは５〜１０個である。これは、１本の室内配管に取り付けられているノズルがそれぞれ同じ量のミストを放出するような構造になっている場合や室内空間が広い場合、室内の場所ごとの細かい湿度制御をやりやすくするためである。これにより、必要な室内配管の方向にのみ加圧水を流す構造を採用することができ、室内配管ごとのミストの放出を行なって細かい湿度制御が可能になる。
【産業上の利用可能性】
【００２６】
本発明の室内湿度制御装置は、水道水利用によるミスト品質の安全性、給水作業不要、希望の湿度への２４時間３６５日の自動管理、湿度に敏感な素材の自動管理、夏期の細霧冷房、冬期の加湿、花粉やホコリの浮遊除去、静電気除去などの特徴を有するので、当業界において極めて有用である。
【符号の説明】
【００２７】
１                  室内湿度制御装置
２                  室内配管
３                  水供給装置
４                  ノズル
５，５´，５´´    湿度測定装置
６                  制御装置
【図１】
2020176783.tif 000003
【図２】
2020176783.tif 000004
【図３】
2020176783.tif 000005
【図４】
2020176783.tif 000006